(57)【要約】【課題】ＡＶ機器において、ファームウェアによる起動処理が正常に行われない場合でもユーザの使い勝手を良くする。【解決手段】ＤＶＤレコーダは、ＴＶ受像機と接続され、ファームウェアと閾値時間とが記録されたメモリと、ファームウェアが記録された光ディスクを載置するディスクトレイと、制御用マイコンとを備える。制御用マイコンは、ファームウェアを用いて機器の起動処理を実行し（Ｓ１）、処理が完了していない場合（Ｓ２でＮＯ）、起動処理の実行開始から閾値時間が経過したか否かを判断する（Ｓ３）。この結果、経過している場合（Ｓ４でＹＥＳ）、制御用マイコンは、ファームウェアによる起動処理の実行を強制終了した後（Ｓ５）、ユーザにファームウェアの再インストールを促すメッセージをＴＶ受像機に表示すると共に、ＴＶ受像機にディスクアップデート画面を表示する。そして、制御用マイコンは、ディスクトレイをオープンする（Ｓ７）。【選択図】図２
2010211314.tif 000002
【特許請求の範囲】
【請求項１】
メッセージを含む映像を表示可能な表示手段と、
ファームウェアを記憶する記憶手段と、
前記ファームウェアの更新を指示するためのファームウェア更新画面を前記表示手段に出力するファームウェア更新画面出力手段と、
各種メッセージをユーザに報知する報知手段と、
前記ファームウェアを実行可能であると共に、装置各部を制御する制御手段とを備えるＡＶ機器において、
前記記憶手段は、前記ファームウェアを用いた機器の起動処理が正常に実行できているか否かを判別するための閾値時間を記憶し、
前記制御手段は、
前記ファームウェアを用いた機器の起動処理を実行したときに、該起動処理の実行を開始してから前記閾値時間が経過するまでの間に該起動処理が完了していない場合、該ファームウェアによる起動処理の実行を強制終了した後、
前記報知手段を用いて、ユーザにファームウェアの再インストールを促すメッセージを前記表示手段に表示すると共に、前記ファームウェア更新画面出力手段を用いて、前記ファームウェア更新画面を前記表示手段に表示することを特徴とするＡＶ機器。
【請求項２】
前記ファームウェアを記録可能な光ディスクを内部に装着し、該光ディスクからデータを読み出す装着部をさらに備え、
前記装着部は、
前記光ディスクを載置するためのディスクトレイと、
前記ディスクトレイを前記装着部の内部から出し入れするための搬送手段とを有し、
前記制御手段は、
前記ファームウェアによる起動処理を実行したときに、該起動処理の実行を開始してから前記閾値時間が経過するまでの間に起動処理が完了しない場合、前記搬送手段を用いて、前記ディスクトレイを前記装着部の内部から外部に搬送することを特徴とする請求項１に記載のＡＶ機器。
【発明の詳細な説明】
【技術分野】
【０００１】
本発明は、ファームウェアを用いた機器の起動処理を実行可能なＡＶ機器に関する。
【背景技術】
【０００２】
従来から、例えばＵＳＢ（Ｕｎｉｖｅｒｓａｌ  Ｓｅｒｉａｌ  Ｂｕｓ）接続に非対応のＤＶＤレコーダ等のＡＶ機器に、ＵＳＢ接続に対応したファームウェアをインストールした場合に、このファームウェアを実行すると、例えばＵＳＢ−ＬＳＩ等の機器の起動処理を行うことができないためＡＶ機器がハングアップしてしまうことがある。ハングアップしたＡＶ機器は、ユーザによって再起動された後に、デバッガを利用して正しいファームウェアを再インストールすることにより正常に利用可能となる。しかしながら、この種のＡＶ機器では、ユーザにとって手間が掛かり使い勝手が悪いという問題がある。
【０００３】
これに対して、特許文献１には、ＵＳＢ接続の機器の起動処理に失敗した場合、警告メッセージを表示するＡＶ機器が開示されている。また、特許文献２には、ファームウェアによる起動処理が所定時間内に完了しない場合、警告メッセージを表示する録画再生装置が開示されている。しかしながら、これらのＡＶ機器では上記問題を解決できない。
【先行技術文献】
【特許文献】
【０００４】
【特許文献１】特開２００４−１１０６８２号公報
【特許文献２】特開２００３−４４３７０号公報
【発明の概要】
【発明が解決しようとする課題】
【０００５】
本発明は、上述した問題点を解決するためになされたものであり、ファームウェアによる起動処理が正常に行われない場合でも、ユーザによる使い勝手の良いＡＶ機器を提供することを目的とする。
【課題を解決するための手段】
【０００６】
上記目的を達成するために請求項１の発明は、メッセージを含む映像を表示可能な表示手段と、ファームウェアを記憶する記憶手段と、前記ファームウェアの更新を指示するためのファームウェア更新画面を前記表示手段に出力するファームウェア更新画面出力手段と、各種メッセージをユーザに報知する報知手段と、前記ファームウェアを実行可能であると共に、装置各部を制御する制御手段とを備えるＡＶ機器において、前記記憶手段は、前記ファームウェアを用いた機器の起動処理が正常に実行できているか否かを判別するための閾値時間を記憶し、前記制御手段は、前記ファームウェアを用いた機器の起動処理を実行したときに、該起動処理の実行を開始してから前記閾値時間が経過するまでの間に該起動処理が完了していない場合、該ファームウェアによる起動処理の実行を強制終了した後、前記報知手段を用いて、ユーザにファームウェアの再インストールを促すメッセージを前記表示手段に表示すると共に、前記ファームウェア更新画面出力手段を用いて、前記ファームウェア更新画面を前記表示手段に表示するものである。
【０００７】
請求項２に記載の発明は、請求項１に記載のＡＶ機器において、前記ファームウェアを記録可能な光ディスクを内部に装着し、該光ディスクからデータを読み出す装着部をさらに備え、前記装着部は、前記光ディスクを載置するためのディスクトレイと、前記ディスクトレイを前記装着部の内部から出し入れするための搬送手段とを有し、前記制御手段は、前記ファームウェアによる起動処理を実行したときに、該起動処理の実行を開始してから前記閾値時間が経過するまでの間に起動処理が完了しない場合、前記搬送手段を用いて、前記ディスクトレイを前記装着部の内部から外部に搬送するものである。
【発明の効果】
【０００８】
請求項１の発明によれば、ファームウェアを用いた機器の起動処理を実行したときに、閾値時間が経過するまでの間に処理が完了していない場合、ファームウェアによる起動処理の実行を強制終了した後、ユーザにファームウェアの再インストールを促すメッセージを表示すると共に、ファームウェア更新画面を表示する。そのため、従来と異なり、機器の再起動等の操作をすること無しに、ファームウェアが終了されて、ファームウェア更新画面が表示されるので、ユーザにとって使い勝手が良い。
【０００９】
請求項２の発明によれば、ファームウェアによる起動処理を実行したときに、起動処理の実行を開始してから閾値時間が経過するまでの間に処理が完了しない場合、ディスクトレイを装着部の内部から外部に搬送する。そのため、ユーザが正しいファームウェアが記録された光ディスクをすぐにトレイに載置することができるのでユーザにとって使い勝手が良い。
【図面の簡単な説明】
【００１０】
【図１】本発明の一実施形態に係るＤＶＤレコーダの構成を示すブロック図。
【図２】上記ＤＶＤレコーダのファームウェアの起動処理を示すフローチャート。
【図３】上記起動処理におけるエラー表示画面を示す説明図。
【発明を実施するための形態】
【００１１】
本発明の一実施形態に係るＤＶＤレコーダ（ＡＶ機器）について、図１を参照して説明する。図１は、ＤＶＤレコーダ１の内部構成を示すブロック図である。ＤＶＤレコーダ１は、放送局から放送されるテレビジョン（以下、ＴＶという）番組を受信して、このＴＶ番組の映像信号及び音声信号を、伝送ケーブル３を介してＤＶＤレコーダ１と接続されたＴＶ受像機２に出力するものである。また、ＤＶＤレコーダ１は、放送局から放送されるＴＶ番組の録画再生を行うものである。ＴＶ受像機２は、ＤＶＤレコーダ１から送信されたメッセージや映像を表示するディスプレイ（表示手段）２１と、音声を出力するスピーカ２２とを有する表示装置である。
【００１２】
ＤＶＤレコーダ１は、放送局から放送されるＴＶ放送信号に基づくＴＶ番組を受信するチューナ１１と、ユーザによって操作されるボタン等を有する操作部１２と、筐体外部に露出するように設けられたＨＤＭＩ端子部等の端子部１３とを備える。また、ＤＶＤレコーダ１は、各種情報が記憶されるメモリ（記憶手段）１４と、光ディスクドライブ（装着部）１５と、装置各部の制御を行う制御用マイコン（制御手段）１６とをさらに備える。
【００１３】
メモリ１４には、制御用マイコン１６を動作させるためのプログラム１４ａと、閾値時間１４ｂとが記憶されている。プログラム１４ａは、装置内の各種機器の起動処理等を行うファームウェア１４ａ１を有する。ファームウェア１４ａ１は、再インストールを行うことにより機能の異なるバージョンに変更可能である。
【００１４】
閾値時間１４ｂは、後述するファームウェア１４ａ１の起動処理において、ファームウェア１４ａ１を用いた機器の起動処理が正常に実行できているか否かを判別するための閾値となる時間である。閾値時間１４ｂは、具体的には、例えば３０秒や１分などの時間である。
【００１５】
光ディスクドライブ１５は、ＤＶＤ等の光ディスクＤを載置するためのディスクトレイ１５ａと、ディスクトレイ１５ａを光ディスクドライブ１５の内部から出し入れするためのトレイ搬送モータ（搬送手段）１５ｂとを有し、光ディスクＤに対してデータの読み書きを行うものである。図中に示すディスクトレイ１５ａは、光ディスクドライブ１５内部に収納された状態（以下、クローズという）である。一方、ディスクトレイ１５ａは、トレイ搬送モータ１５ｂによって図中の白矢印方向に搬送されることによって光ディスクドライブ１５の外部に位置する状態（以下、オープンという）となる。ユーザは、ディスクトレイ１５ａがオープンしているときに光ディスクＤを交換することができる。
【００１６】
ディスクトレイ１５ａには、ファームウェア更新データＤ１が記録された、ファームウェアのインストール用の光ディスクＤが装着される。ファームウェア更新データＤ１は、特定のバージョンのファームウェア１４ａ１を含むデータである。
【００１７】
制御用マイコン１６は、映像出力部１６ａと、録画処理部１６ｂと、ファームウェア更新画面生成部（ファームウェア更新画面出力手段）１６ｃと、メッセージ報知部（報知手段）１６ｄとを有し、ファームウェア１４ａ１を実行可能であると共に、装置各部の制御を行う。また、制御用マイコン１６は、光ディスクＤのファームウェア更新データＤ１をファームウェア１４ａ１にインストールすることができる。
【００１８】
映像出力部１６ａは、チューナ１１によって受信されたＴＶ番組や、光ディスクドライブ１５によって光ディスクＤから読み出されたＴＶ番組の再生を行い、再生されたＴＶ番組の映像信号及び音声信号を、伝送ケーブルを介してＴＶ受像機２に出力する。録画処理部１６ｂは、例えばユーザによる操作部１２の操作に基づいてチューナ１１で受信したＴＶ番組を光ディスクＤに録画する処理を行う。
【００１９】
ファームウェア更新画面生成部１６ｃは、ファームウェア１４ａ１の更新（インストール）を指示するためのディスクアップデート画面（ファームウェア更新画面）の映像を、伝送ケーブル３を介してＴＶ受像機２に出力する。メッセージ報知部１６ｄは、各種メッセージをユーザに報知するものであり、例えば、警告等のメッセージの映像を、伝送ケーブル３を介してＴＶ受像機２に出力する。
【００２０】
次に、ファームウェア１４ａ１による機器の起動処理について、図２に示すフローチャートを参照して説明する。ここでは、ディスクトレイ１５ａがクローズしているものとする。
【００２１】
まず、制御用マイコン１６は、ファームウェア１４ａ１を用いて機器の起動処理を実行し（Ｓ１）、ファームウェアの起動処理が完了した場合（Ｓ２でＹＥＳ）、本処理を終了する。一方、起動処理が完了していない場合（Ｓ２でＮＯ）、制御用マイコン１６は、本処理の実行を開始してから閾値時間１４ｂが経過したか否かを判断し（Ｓ３）、経過している場合（Ｓ４でＹＥＳ）、ファームウェア１４ａ１による起動処理の実行を強制終了する（Ｓ５）。
【００２２】
そして、制御用マイコン１６は、メッセージ報知部１６ｄを用いて、ユーザにファームウェアの再インストールを促すメッセージをＴＶ受像機２のディスプレイ２１に例えばＯＳＤ機能によって表示すると共に、ファームウェア更新画面生成部１６ｃを用いて、ＴＶ受像機２のディスプレイ２１に、その時点で表示されている画面を遷移させてディスクアップデート画面を表示する（Ｓ６）。そして、制御用マイコン１６は、トレイ搬送モータ１５ｂを制御することにより、ディスクトレイ１５ａをオープンする（Ｓ７）。
【００２３】
一方、上記Ｓ３による判断の結果、本処理の実行を開始してから閾値時間１４ｂが経過していない場合（Ｓ４でＮＯ）、上記Ｓ２以降の処理を繰り返す。
【００２４】
次に、上記Ｓ６の処理における表示画面について、図３を参照して説明する。図３は、上記Ｓ６の処理においてディスプレイ２１に表示される画面を示す。図に示すように、ディスプレイ２１には、「ファームウェアエラー」というエラーメッセージと、「正しいファームウェアが記録されたＤＶＤを挿入して再インストールを行ってください。」という再インストールを促すメッセージが表示される。また、ディスプレイ２１には、上記のメッセージのＯＳＤ表示と共に、ファームウェアの更新を指示するための「ファームウェア更新実行」ボタンを有するディスクアップデート画面が表示される。
【００２５】
上述したように、本実施形態に係るＤＶＤレコーダ１においては、ファームウェア１４ａ１を用いた機器の起動処理を実行したときに、起動処理の実行を開始してから閾値時間１４ｂが経過するまでの間に本処理が完了していない場合、ファームウェア１４ａ１による起動処理の実行を強制終了する。そして、ユーザにファームウェアの再インストールを促すメッセージと、ファームウェア更新画面とをディスプレイ２１に表示する。そのため、従来と異なり、機器の再起動等の操作をすること無しに、ファームウェアが終了されて、ファームウェア更新画面が表示されるので、ユーザにとって使い勝手が良い。
【００２６】
また、ファームウェア１４ａ１による起動処理を実行したときに、起動処理の実行を開始してから閾値時間１４ｂが経過するまでの間に処理が完了しない場合、ディスクトレイ１５ａがオープンする。そのため、ユーザが正しいファームウェアが記録された光ディスクＤをすぐにディスクトレイ１５ａに載置することができるので、ユーザにとって使い勝手が良い。
【００２７】
なお、本発明は、上記実施形態の構成に限られず、発明の趣旨を変更しない範囲で種々の変形が可能である。例えば、ＤＶＤレコーダがインターネットに接続可能であり、ファームウェアをインターネットから取得しても良い。
【符号の説明】
【００２８】
１  ＤＶＤレコーダ（ＡＶ機器）
１４  メモリ（記憶手段）
１５  光ディスクドライブ（装着部）
１６  制御用マイコン（制御手段）
２１  ディスプレイ（表示手段）
１４ａ１  ファームウェア
１５ａ  ディスクトレイ
１５ｂ  トレイ搬送モータ（搬送手段）
１６ｃ  ファームウェア更新画面生成部（ファームウェア更新画面出力手段）
１６ｄ  メッセージ報知部（報知手段）
Ｄ  光ディスク
【図１】
2010211314.tif 000003
【図２】
2010211314.tif 000004
【図３】
2010211314.tif 000005